(57)【要約】【課題】割合に低速で回転することのできる構成を有する電動機を備えることによって、伝動装置にかかる負荷が小さくなって、摩耗が小さくなり、そのため該伝動装置に必要な部品が少なくなって、ハウジング内でかなりのスペース節約ができ、さらにまたたとえば中間軸に対して組み込む必要のある軸受けの数も少なくなる乾燥機を提供すること。【解決手段】回転乾燥ドラムを有する乾燥機は、乾燥ドラム（２）を回転運動させるために乾燥ドラム（２）に連結された少なくとも一つの電動機（８）から成る駆動装置（７）を有する、特にリンネル製品等の乾燥のための乾燥機（１）であって、前記電動機（８）が少なくとも１０個の極を有する電動機であることを特徴とする。【選択図】図１
2004130093.tif 000002
【特許請求の範囲】
【請求項１】
　回転乾燥ドラムを有する乾燥機であって、乾燥ドラム（２）を回転運動させるために乾燥ドラム（２）に連結された少なくとも一つの電動機（８）から成る駆動装置（７）を有する、特にリンネル製品等の乾燥のための乾燥機（１）において、
　前記電動機（８）が少なくとも１０個の極を有する電動機である、
ことを特徴とする乾燥機。
【請求項２】
　前記電動機（８）が、１２、１４、１６、２０または２２個の極を有することを特徴とする請求項１に記載の乾燥機。
【請求項３】
　前記電動機（８）が１８個の極を有することを特徴とする請求項１に記載の乾燥機。
【請求項４】
　乾燥ドラム（２）が単一の伝動装置（９）によって電動機（８）の軸（１４）に連結されていることを特徴とする請求項１から３の中のいずれか１つに記載の乾燥機。
【請求項５】
　前記伝動装置（９）が、減速のための速度伝達比を有し、特に、乾燥ドラム（２）が前記電動機（８）の軸（１４）よりも小さな回転速度を有するようになっていることを特徴とする請求項４に記載の乾燥機。
【請求項６】
　伝動装置（９）がベルト（１３）を含むエンドレス伝動要素を使用し、該伝動要素（９）が電動機軸（１４）から乾燥ドラム軸（１５）への直接伝動を与えることを特徴とする請求項４または５に記載の乾燥機。
【請求項７】
　前記電動機（８）が非同期電動機であることを特徴とする請求項４から６の中のいずれか１つに記載の乾燥機。
【請求項８】
　乾燥ドラム（２）の回転速度が５０回転／分よりも小であることを特徴とする請求項１から７の中のいずれか１つに記載の乾燥機。
【請求項９】
　回転乾燥ドラムを有する乾燥機であって、乾燥ドラム（２）を回転運動させるために乾燥ドラム（２）に連結された少なくとも一つの電動機（８）から成る駆動装置（７）を有する、特にリンネル製品等の乾燥のための乾燥機（１）において、
　乾燥ドラム（２）が単一の伝動装置（９）によって電動機（８）の軸（１４）に連結されており、
　電動機（８）が、前記単一の伝動装置（９）によって、通常の程度の大きさの乾燥ドラム（２）の回転速度、特に１００回転／分よりも小、さらに好ましくは５０回転／分よりも小の回転速度が得られるように、構成されている、
ことを特徴とする乾燥機。
【発明の詳細な説明】
【技術分野】
【０００１】
　本発明は、
　回転乾燥ドラムを有する乾燥機であって、該乾燥ドラムを回転運動させるために該乾燥ドラムに連結された少なくとも一つの電動機から成る駆動装置を有する、特にリンネル製品等の乾燥のための乾燥機、
に関する。
【背景技術】
【０００２】
　そのような乾燥機の実施態様で現在までに公知のものにおいては、前記駆動装置として、もっともありふれた非同期電動機、すなわち、限られた数の極（ｅｌｅｃｔｒｉｃ　　
ｐｏｌｅ）を有し、割合に大きな電動機速度を与える電動機、が使用されている。このとき、この電動機速度は、通常、多段伝動装置によって、乾燥ドラムの駆動に必要な通常の回転速度まで落とされる。
【発明の開示】
【発明が解決しようとする課題】
【０００３】
　本発明は、乾燥機、特に乾燥機の乾燥ドラムのための駆動装置に関するものであり、この乾燥機および駆動装置は、それぞれ、前記公知の実施態様に対していろいろな面で改良されている。
【課題を解決するための手段】
【０００４】
　この目的のために、本発明は、
　回転乾燥ドラムを有する乾燥機であって、該乾燥ドラムを回転運動させるために該乾燥ドラムに連結された少なくとも一つの電動機から成る駆動装置を有する、特にリンネル製品等の乾燥のための乾燥機において、
　前記電動機が少なくとも１０個の極を有する一つの電動機、特に、通常の交流電源に接続できる電動機である、
ことを特徴とする乾燥機、
に関する。
【０００５】
　少なくとも１０個の極を有する電動機を使用することにより、すなわち、乾燥機に普通に使用される公知の電動機の少数の極に比して多数の極を使用することにより、本発明において使用される電動機は、通常の交流電源たとえば２２０Ｖまたは３８０Ｖ、５０Ｈｚに接続したとき、割合に低速で回転し、したがって前記伝動装置にかかる負荷が小さくなって、摩耗が小さくなるという利点が与えられ、さらに少なくとも一つの好ましい実施態様においては、通常の多段伝動装置をより簡単な実施態様で置換えられるという利点が与えられ、そのため伝動装置に必要な部品が少なくなって、乾燥機のハウジング内でかなりのスペース節約ができ、さらにまたたとえば中間軸に対して組み込む必要のある軸受けの数も少なくなる。
【０００６】
　前記電動機はさらに好ましくは１０個よりも多くの極たとえば１２、１４、１６、２０、または２２個の極を有し、その場合、前記利点がさらにはっきりする。しかし、もっとも好ましい実施態様の場合、前記電動機は１８個の極を有する。というのは、この数の極の場合に、一方での本発明で意図する効果と他方での本発明の実用的実施態様との間で最適化がはかられるからである。極の数が多すぎると、電動機自身が大きくなりすぎるという不利が生じる。
【０００７】
　前述のように、本発明の場合、単一の伝動装置により、乾燥ドラムを電動機の軸に連結することができるので、そのような単一の伝動装置の使用が好ましい。この伝動装置の速度伝達比（ｔｒａｎｓｍｉｓｓｉｏｎ　ｒａｔｉｏ）はどのようにしても良いが、好ましくは、特に、乾燥ドラムが前記電動機の軸よりも小さな回転速度を有するように、減速（ｒｅｄｕｃｔｉｏｎ）を与える速度伝達比を有する。このようにして、特性の組合せにより、最小数の部品で、（すなわち、一方で単一の伝動装置を使用し、他方で少なくとも１０個の極を有する電動機を使用することにより、）電動機と乾燥ドラムとの間の最適伝動を実現することができる。
【０００８】
　実用的な実施態様においては、伝動のためにエンドレス伝動要素たとえばベルトその他を使用し、該要素は伝動機の軸から乾燥ドラムへの直接伝動を与える。
【０００９】
　実際には、伝動装置の速度伝達比を、乾燥ドラムの回転速度が５０回転／分よりも小になるように選択する。基本的には、電動機は非同期電動機を意味するが、その変形例は排除されない。
【００１０】
　注意すべきことは、当然、単一の伝動装置の使用により、少なくとも１０個の極を有する電動機とは異なる電動機を使用した場合でも、そのような伝動装置に伴う利点が得られる、ということである。本発明の第二の観点においては、本発明は、
　回転乾燥ドラムを有する乾燥機であって、該乾燥ドラムを回転運動させるために該乾燥ドラムに連結された少なくとも一つの電動機から成る駆動装置を有する、特にリンネル製品等の乾燥のための乾燥機において、
　乾燥ドラムが単一の伝動装置によって電動機の軸に連結されており、
　電動機が、前記単一の伝動装置によって、通常の程度の大きさの乾燥ドラムの回転速度、特に１００回転／分よりも小、さらに好ましくは５０回転／分よりも小の回転速度が得られるように、具体化される、
ことを特徴とする乾燥機、
にも関する。
【発明を実施するための最良の形態】
【００１１】
　以下、本発明の特徴をさらに十分に説明するために、添付の図面を参照しつつ、好ましい実施形態について説明する。この実施形態は単なる例であり、いかなる意味でも本発明を限定するものではない。
【００１２】
　本発明は、図１にきわめて模式的に示すような、回転乾燥ドラム２を有する乾燥機１に関する。
【００１３】
　ここに示す例では、この回転乾燥ドラム２は固定された外側ドラム３内に配置されており、外側ドラム３は乾燥ドラム２のハウジング４内に作りつけてある。
【００１４】
　乾燥ドラム２には、ドア６によって密閉することのできるアクセス開口５を通じて、リンネル製品等を入れたり出したりすることができる。
【００１５】
　乾燥ドラム２は、たとえば単一の回転方向または交互に二つ回転方向に、駆動装置７によって回転駆動することができる。駆動装置７は、少なくとも一つの電動機８から成り、該電動機８は伝動装置９によって乾燥ドラム２に連結されている。
【００１６】
　さらに、乾燥ドラム２は空気吸入手段と加熱手段１０を備えており、該加熱手段１０は、送入パイプ１１と排出パイプ１２とにより、乾燥ドラム２のスペース内に高温空気流を生成させることができる。これらのパイプ１１および１２は模式的に示してあるだけである。当然のことながら、変形により他の空気処理法も可能であり、たとえば、リンネル製品から除去された水分が凝縮させられ捕集される閉回路による処理が可能である。
【００１７】
　本発明は、前記電動機８が少なくとも１０個好ましくは１８個の極を有し、したがって冒頭でのべたような利点が得られる、という点で特別である。この場合、非同期電動機８が好ましい。
【００１８】
　特定数の極を有する非同期電動機８をどのように具体化すべきかについての詳細自体は、公知であり、そのような電動機の製造は当業者の技量の範囲内にある。簡明なように、さらに述べるならば、１０極の電動機というのは、回転子と固定子との間の空気スロットの周囲に、入磁束の五つの領域と出磁束の五つの領域とが存在する電動機を意味するものとする。数極の場合にも、ことは同様である。
【００１９】
　本発明のもう一つの特徴は、伝動装置９が、簡単な伝動装置、特にエンドレス伝動要素すなわちベルト１３を使用する伝動装置、から成り、該伝動装置が、電動機軸１４から乾燥ドラム軸１５すなわち乾燥ドラム２の軸への直接伝動を、それぞれの軸に備えられたプーリー１６および１７によって、与えるということである。
【００２０】
　図１に示すように、プーリー１６はプーリー１７よりも直径が小さいので、伝動装置９は回転速度の減少をもたらす。
【００２１】
　明らかに、このようにすることによって、非常に簡単な構造が与えられ、さらにこの場合、摩耗が起りにくく、またハウジング４内のスペースが節約され、したがって全体を小さく作るかまたは他の部品により大きなスペースを割くことができる。たとえば、乾燥ドラム２を大きくしたり、または周辺装置を配置したりするために、スペースを使用することができる。周辺装置というのは、たとえば空気吸入手段と加熱手段１０を意味する。
【００２２】
　本発明は、決して、例として上で述べ添付の図面に示した実施形態に限定されるものではなく、逆に、本発明の乾燥機は、本発明の範囲内にとどまる限り、いろいろな形状と寸法で作ることができる。
【図面の簡単な説明】
【００２３】
【図１】本発明による乾燥機の模式図である。
【符号の説明】
【００２４】
　１　乾燥機
　２　回転乾燥ドラム
　３　外側ドラム
　４　回転乾燥ドラムのハウジング
　５　アクセス開口
　６　ドア
　７　駆動装置
　８　電動機
　９　伝動装置
１０　空気吸入手段と加熱手段
　１１　送入パイプ
　１２　排出パイプ
　１３　ベルト
　１４　電動機軸
　１５　乾燥ドラム軸
　１６、１７　プーリー
【図１】
2004130093.tif 000003
【外国語明細書】
2004130093.tif 000004
2004130093.tif 000005
2004130093.tif 000006
2004130093.tif 000007
2004130093.tif 000008
2004130093.tif 000009
2004130093.tif 000010
2004130093.tif 000011
2004130093.tif 000012
2004130093.tif 000013